(57)【特許請求の範囲】
【請求項１】
コンピュータ装置の背面に回転可能に取り付けられるように構成されたスタンドと；
該スタンドの一部を前記コンピュータ装置の背面に取り付ける少なくとも１つのヒンジであって、該ヒンジは、２つ以上の予め設定された開位置に保持されるように構成され、それによって、前記スタンドは、前記２つ以上の予め設定された開位置に従って前記コンピュータ装置に対して位置付け可能にされる、ヒンジと；を備えており、
前記ヒンジは、
前記スタンドに取り付けられ且つ前記スタンドと連動して回転可能であるヒンジリングと、
ヒンジリングフォロアであって、圧力を前記ヒンジリングに対して加えて前記ヒンジリングフォロアを前記ヒンジリングの表面上の１つ又は複数の切欠きに係合させ、前記ヒンジリングを前記２つ以上の予め設定された開位置のうちの予め設定された開位置に保持する、ヒンジリングフォロアと、
該ヒンジリングフォロアに対して位置付けされ且つ圧力を前記ヒンジリングフォロアに加えて、前記ヒンジリングフォロアによって圧力を前記ヒンジリングに加える、バネと、を含む、
機器。
【請求項２】
前記ヒンジは：
ヒンジフレームと；
該ヒンジフレーム内で少なくとも部分的に回転可能に配置されたリング支持体と；をさらに含み、
前記ヒンジリングは、前記リング支持体に対して回転可能に配置されており、それによって、前記リング支持体に対する特定の位置に前記ヒンジリングを回転することにより、前記ヒンジリングが、前記リング支持体と係合し、且つ前記ヒンジリングを前記特定の位置を越えて更に回転することにより、前記ヒンジフレームに対する前記リング支持体の対応する回転を生じさせる、
請求項１に記載の機器。
【請求項３】
前記ヒンジリングは、前記リング支持体内に少なくとも部分的に回転可能に配置される、
請求項２に記載の機器。
【請求項４】
前記ヒンジリングフォロアは、圧力を前記ヒンジリングの表面の切欠きに加えて、該ヒンジリングを前記２つ以上の予め設定された開位置のうちの少なくともいくつかに保持する、
請求項２に記載の機器。
【請求項５】
前記ヒンジは、圧力を前記リング支持体に加えて、該リング支持体を前記２つ以上の予め設定された開位置のうちの少なくともいくつかに保持するためのリング支持体フォロアを含む、
請求項２に記載の機器。
【請求項６】
前記ヒンジは、圧力を前記リング支持体に加えて、該リング支持体を前記２つ以上の予め設定された開位置のうちの他の位置に保持するためのリング支持体フォロアを含む、
請求項２に記載の機器。
【請求項７】
前記２つ以上の予め設定された開位置のうちの１つは、前記コンピュータ装置の背面に対して前記スタンドの１８０°回転に対応する、
請求項１に記載の機器。
【請求項８】
ヒンジフレームと；
該ヒンジフレーム内に少なくとも部分的に回転可能に配置されたヒンジリングであって、該ヒンジリングは、１つ又は複数の切欠きを含み、且つ部品に取り付け可能であり、前記ヒンジフレームに対して前記部品の回転を可能にする、ヒンジリングと、
前記ヒンジフレーム内に配置されるヒンジリングフォロア及びヒンジリングバネであって、該ヒンジリングバネは、圧力を前記ヒンジリングフォロアに加えて、それにより、前記ヒンジリングフォロアが前記ヒンジリングに対して押圧し、且つ前記ヒンジリングを前記ヒンジフレームに対して開位置に回転させたときに、前記ヒンジリングフォロアが前記ヒンジリングの前記１つ又は複数の切欠き内に圧力を加え、前記ヒンジリングがヒンジの１つ又は複数の予め設定された開位置を取るようにさせる、ヒンジリングフォロア及びヒンジリングバネと、を備え、
前記ヒンジは、コンピュータ装置に取り付けられており、
前記部品は、隣接面に対して前記コンピュータ装置の複数の姿勢を支持するように前記ヒンジを介して回転可能であるスタンドを含む、
ヒンジ。
【請求項９】
前記ヒンジフレーム内に少なくとも部分的に回転可能に配置されたリング支持体をさらに含み、
前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えた開方向に更に回転することにより、前記ヒンジフレームに対する前記リング支持体の対応する回転を生じさせ、前記リング支持体が前記ヒンジの１つ又は複数の予め設定された他の開位置を取るようにさせる、
請求項８に記載のヒンジ。
【請求項１０】
前記ヒンジは、コンピュータ装置に取り付けられており、
前記部品は、隣接面に対して前記コンピュータ装置の複数の姿勢を支持するように前記ヒンジを介して回転可能であるスタンドを含み、
前記複数の姿勢のうちの少なくともいくつかは、前記ヒンジの１つ又は複数の予め設定された開位置に対応する、
請求項８に記載のヒンジ。
【請求項１１】
コンピュータ装置であって、当該コンピュータ装置は：
ハウジングと；
該ハウジング及びスタンドに取り付けられた少なくとも１つのヒンジであって、前記スタンドは、前記ヒンジを介して予め設定された位置に位置付け可能であり、隣接面に対して前記コンピュータ装置の複数の姿勢をサポートする、ヒンジと；を備えており、
該ヒンジは：
ヒンジフレームと；
該ヒンジフレーム内で少なくとも部分的に回転可能に配置されたヒンジリングであって、該ヒンジリングは、１つ又は複数の切欠きを含み、且つ前記スタンドに取り付けられており、それによって前記スタンドは、前記ハウジングに対して回転可能である、ヒンジリングと；
前記ヒンジフレーム内に配置されるヒンジリングフォロア及びヒンジリングバネであって、該ヒンジリングバネは、圧力を前記ヒンジリングフォロアに加えて、それにより、前記ヒンジリングフォロアが前記ヒンジリングに対して押圧し、且つ前記ヒンジリングを前記ヒンジフレームに対して開位置に回転させたときに、前記ヒンジリングフォロアが前記ヒンジリングの１つ又は複数の切欠き内に対して係合し、前記ヒンジリングが前記ヒンジの１つ又は複数の予め設定された開位置を取るようにさせる、ヒンジリングフォロア及びヒンジリングバネと；
を含む、
コンピュータ装置。
【請求項１２】
前記ヒンジフレーム内に少なくとも部分的に回転可能に配置されたリング支持体をさらに含み、
前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えて更に回転することにより、前記ヒンジフレームに対する前記リング支持体の対応する回転を生じさせ、前記リング支持体が前記ヒンジの１つ又は複数の予め設定された他の開位置を取るようにさせる、
請求項１１に記載のコンピュータ装置。
【請求項１３】
前記１つ又は複数の予め設定された開位置は、前記ハウジングに対する前記スタンドの１８０°回転を含む、
請求項１１に記載のコンピュータ装置。
【請求項１４】
前記ヒンジフレーム内に少なくとも部分的に回転可能に配置されたリング支持体であって、前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えて更に回転することにより、前記ヒンジフレームに対する前記リング支持体の対応する回転を生じさせ、前記リング支持体が前記ヒンジの１つ又は複数の予め設定された他の開位置を取るようにさせる、リング支持体と、
圧力を前記リング支持体に加えて、該リング支持体を前記１つ又は複数の予め設定された他の開位置に保持するためのリング支持体フォロアと、をさらに含む、
請求項８に記載のヒンジ。
【請求項１５】
圧力を前記リング支持体フォロアに加えて、該リング支持体フォロアによって圧力を前記リング支持体に加えるのを可能にするためのリング支持体バネをさらに含む、
請求項１４に記載のヒンジ。
【請求項１６】
前記ヒンジフレーム内に少なくとも部分的に回転可能に配置されたリング支持体であって、前記ヒンジリングは、前記リング支持体内で少なくとも部分的に回転可能に配置されており、それによって、前記リング支持体に対する特定の位置に前記ヒンジリングを回転することにより、前記ヒンジリングが前記リング支持体と係合し、且つ前記ヒンジリングを前記特定の位置を越えて更に回転することにより、前記ヒンジフレームに対する前記リング支持体の対応する回転を生じさせ、前記リング支持体が前記ヒンジの１つ又は複数の予め設定された他の開位置を取るようにさせる、リング支持体と、
圧力を前記リング支持体に加えて、該リング支持体を前記１つ又は複数の予め設定された他の開位置に保持するためのリング支持体フォロアと、をさらに含む、
請求項１１に記載のコンピュータ装置。
【請求項１７】
前記ヒンジは、圧力を前記リング支持体フォロアに加えて、該リング支持体フォロアによって圧力を前記リング支持体に加えるのを可能にするためのリング支持体バネをさらに含む、
請求項１６に記載のコンピュータ装置。
【請求項１８】
前記ヒンジリングは、前記スタンドに直接的に取り付けられたヒンジ取付け部分を含む、
請求項１に記載の機器。
【請求項１９】
前記ヒンジリングは、前記スタンドの本体に直接的に取り付けられたヒンジ取付け部分を含む、
請求項１１に記載のコンピュータ装置。
【発明の詳細な説明】
【技術分野】
【０００１】
本発明は、回転可能な部品取付けのためのヒンジ機構に関する。
【背景技術】
【０００２】
モバイルコンピュータ装置は、モバイル設定においてユーザが利用可能な機能を高めるために開発されてきた。例えば、ユーザは、電子メールをチェックし、ネットサーフィンをし、文章を構成し、アプリケーションと対話等するために、携帯電話、タブレットコンピュータ、又は他のモバイルコンピュータ装置と対話することができる。
【発明の概要】
【発明が解決しようとする課題】
【０００３】
しかしながら、モバイルコンピュータ装置は、可動性を有するように構成されるので、この装置は、典型的には、ハンドヘルド方式で使用されるように設計される。（例えば、テーブル又は他の表面での）他の用途にモバイル装置を適応させる典型的な方法は、扱い難く、モバイル装置に関連するモバイル審美性を損なうきらいがある。
【課題を解決するための手段】
【０００４】
この発明の概要は、以下の詳細な説明でさらに説明する、簡略化した形式の概念の選択を紹介するために提供される。この発明の概要は、特許請求の範囲に記載される主題の重要な特徴又は本質的な特徴を特定することを意図しておらず、ましてや特許請求の範囲に記載される主題の範囲を決定する際の助けに使用することを意図していない。
【０００５】
回転可能な部品取付け用のヒンジ機構について説明する。少なくともいくつかの実装形態では、このヒンジ機構によって、支持部品を、コンピュータ装置等の機器に調整可能に取り付けることが可能になる。例えば、ヒンジ機構を用いて、スタンドをモバイルコンピュータ装置に回転可能に取り付けることができる。ヒンジ機構を介して様々な位置にスタンドを回転して、コンピュータ装置の様々な姿勢の支持を提供することができる。例えば、コンピュータ装置をタイピング姿勢に支持するようにスタンドを位置付けることができ、それによって、関連する入力装置を介して入力を提供することができる。別の例として、縦長(portrait)表示姿勢等の、視聴及び／又はコンピュータ装置との相互作用を可能にするようにスタンドを位置付けることができる。
【図面の簡単な説明】
【０００６】
【図１】１つ以上の実施形態に従った、本明細書で説明する技術を動作可能に用いるような、実装例の環境を示す図である。
【図２】図１の入力装置の実装例を示す図であり、１つ以上の実施形態に従った可撓性ヒンジをより詳細に示す。
【図３】１つ以上の実施形態に従った、コンピュータ装置の表示装置を覆うような、コンピュータ装置に関連する入力装置の姿勢の一例を示す図である。
【図４】１つ以上の実施形態に従った、タイピング姿勢を想定するような、コンピュータ装置に関連する入力装置の姿勢の一例を示す図である。
【図５】１つ以上の実施形態に従った、コンピュータ装置１０２のハウジング背面を覆うとともにコンピュータ装置の表示装置を露出させるような、コンピュータ装置に関連する入力装置の姿勢の一例を示す図である。
【図６】コンピュータ装置の背面を覆うように構成された部分を含むような入力装置の姿勢の一例を示す図であり、この例では、コンピュータ装置の背面は、１つ以上の実施形態に従った、コンピュータ装置のスタンドを支持するために使用される。
【図７】１つ以上の実施形態に従った、図６の部分を含む入力装置を使用して、コンピュータ装置の前面及び背面の両方を覆うような姿勢の一例を示す図である。
【図８】１つ以上の実施形態に従ったスタンドを含むコンピュータ装置の姿勢の一例を示す図である。
【図９】１つ以上の実施形態に従ったスタンドを含むコンピュータ装置の姿勢の一例を示す図である。
【図１０】１つ以上の実施形態に従ったスタンドを含むコンピュータ装置の姿勢の一例を示す図である。
【図１１】１つ以上の実施形態に従ったスタンドを含むコンピュータ装置の姿勢の一例の背面図である。
【図１２】１つ以上の実施形態に従ったスタンドの内面の一例を示す図である。
【図１３】１つ以上の実施形態に従ったスタンドを含むコンピュータ装置の分解図の一例を示す図である。
【図１４】１つ以上の実施形態に従った例示的なヒンジ機構の部品を示す図である。
【図１５】１つ以上の実施形態に従ったヒンジリングの断面図である。
【図１６】１つ以上の実施形態に従ったリング支持体の断面図である。
【図１７】１つ以上の実施形態に従ったコンピュータ装置の部分断面図である。
【図１８】１つ以上の実施形態に従った閉位置にあるヒンジの断面図である。
【図１９】１つ以上の実施形態に従った開位置にあるヒンジの断面図である。
【図２０】１つ以上の実施形態に従った第１の開位置にあるヒンジの断面図である。
【図２１】１つ以上の実施形態に従った第１の開位置にあるヒンジの上面図である。
【図２２】１つ以上の実施形態に従った第２の開位置にあるヒンジの断面図である。
【図２３】１つ以上の実施形態に従った第２の開位置にあるヒンジの断面図である。
【図２４】１つ以上の実施形態に従った第２の開位置にあるヒンジの上面図である。
【図２５】１つ以上の実施形態に従った第３の開位置にあるヒンジの断面図である。
【図２６】１つ以上の実施形態に従った第３の開位置にあるヒンジの断面図である。
【図２７】１つ以上の実施形態に従った第３の開位置にあるヒンジの上面図である。
【図２８】１つ以上の実施形態に従った第４の開位置にあるヒンジの断面図である。
【図２９】１つ以上の実施形態に従った第４の開位置にあるヒンジの断面図である。
【図３０】１つ以上の実施形態に従った第４の開位置にあるヒンジの上面図である。
【図３１】１つ以上の実施形態に従ったヒンジリング及びリング支持体の背面図である。
【図３２】１つ以上の実施形態に従ったヒンジリング及びリング支持体の背面図である。
【図３３】１つ以上の実施形態に従ったヒンジリング及びリング支持体の背面図である。
【図３４】１つ以上の実施形態に従ったヒンジリング及びリング支持体の背面図である。
【図３５】本明細書で説明する技術の実施形態を実現するために図１〜図３４を参照して説明する任意の種類のコンピュータ装置として実装することができるような、例示的な装置の様々な部品を含む例示的なシステムを示す図である。
【発明を実施するための形態】
【０００７】
詳細な説明について、添付の図面を参照して説明する。図面において、参照符号の左端の数字（複数可）は、その参照符号が最初に現れる図面を特定する。別の例では、詳細な説明及び図面における同じ参照符号の使用は、同様又は同じアイテムを示してもよい。図面に示されたエンティティは、１つ以上のエンティティを示してもよく、こうして、参照を、議論中の単一又は複数の形態のエンティティに対して交換可能に行うことができる。
【０００８】
概説
種々の異なる装置をモバイルコンピュータ装置に物理的に取り付けて、様々な機能を提供することができる。例えば、装置は、コンピュータ装置を損傷から保護するために、このコンピュータ装置の少なくとも表示装置用のカバーを提供するように構成することができる。他の装置も、入力装置（例えば、トラックパッドを有するキーボード）等のモバイルコンピュータ装置に物理的に取り付けて、入力をコンピュータ装置に提供することができる。また、これらの装置の機能を組み合わせて、カバー及び入力装置の組合せを提供することができる。
【０００９】
回転可能な部品取付け用のヒンジ機構について、説明する。少なくともいくつかの実装形態では、ヒンジ機構によって、支持部品を、コンピュータ装置等の機器に調整可能に取り付けることが可能になる。例えば、このヒンジ機構を使用して、スタンドをモバイルコンピュータ装置に回転可能に取り付けることができる。ヒンジ機構を介してスタンドを様々な位置に回転して、コンピュータ装置の異なる姿勢の支持を提供することができる。例えば、コンピュータ装置をタイピング姿勢に支持するようにスタンドを位置決めすることができ、それによって、関連する入力装置に介して入力を提供することができる。別の例として、縦長表示姿勢等でコンピュータ装置を視聴及び／又はコンピュータ装置との対話を可能にするようにスタンドを位置付けることができる。
【００１０】
少なくともいくつかの実施形態では、ヒンジ機構は、スタンドを予め設定した異なる位置に配置するのを可能にするような予め設定されたヒンジ位置を使用する。また、例示的なヒンジ機構は、スタンド及びコンピュータ装置の当接するエッジ部同士の間の継ぎ目と一致するような回転中心を含む。こうして、スタンドは、閉位置にあるときに、コンピュータ装置の輪郭に一致することができ、次にスタンドを開いたときに、この継ぎ目を維持することができる。
【００１１】
以下の議論では、本明細書で説明する技術を用いる例示的な環境について、最初に説明する。本明細書で説明する実施形態は、例示的な環境に限定されるものではなく、この例示的な環境は、本明細書で説明する実施形態に限定されるものではない。次に、例示的な装置の姿勢について、１つ以上の実施形態に従って説明する。これに続いて、例示的なスタンドについて、１つ以上の実施形態に従って説明する。次に、スタンド取付け用の例示的なヒンジについて、１つ以上の実施形態に従って説明する。最後に、本明細書で説明する様々な技術を実現することができる例示的なシステム及び装置について、説明する。また、入力装置について本明細書で説明しているが、カバー等の入力機能を含まない他の装置も、企図されている。
【００１２】
図１は、本明細書で説明する技術を動作可能に用いるような、実装例の環境１００を示す。示される環境１００は、可撓性ヒンジ１０６を介して入力装置１０４に物理的に且つ通信可能に結合されたコンピュータ装置１０２の例を含む。コンピュータ装置１０２は、様々な方法で構成することができる。例えば、コンピュータ装置１０２は、携帯電話、示されるようなタブレットコンピュータ等のモバイル用途に構成することができる。こうして、コンピュータ装置１０２は、かなりのメモリ及びプロセッサリソースを含むフルリソース装置から、限られたメモリ及び／又は処理リソースを含む低リソース装置までの範囲となり得る。コンピュータ装置１０２は、コンピュータ装置１０２に１つ以上の動作を実行させるようなソフトウェアに関連してもよい。コンピュータ装置１０２の実装例について、図３５を参照して以下で説明する。
【００１３】
コンピュータ装置１０２は、例えば、入力／出力モジュール１０８を含むように示される。入力／出力モジュール１０８は、コンピュータ装置１０２の入力処理及び出力レンダリングに関する機能を表す。ジェスチャーを識別し、入力装置１０４及び／又は表示装置１１０のタッチスクリーン機能等によって認識されるジェスチャーに対応する動作を実行するために、入力装置１０４のキー、表示装置１１０によって表示される仮想キーボードのキーに対応する機能に関する入力等の様々な異なる入力は、入力／出力モジュール１０８によって処理することができる。こうして、入力／出力モジュール１０８は、キーの押下、ジェスチャー等を含む入力の種類の間の区分を認識し且つ活用することで、様々な異なる入力技術をサポートすることができる。
【００１４】
示される例では、入力装置１０４は、ＱＷＥＲＴＹ配列のキーを有するキーボードやトラックパッドを含む入力部を有するように構成されるが、他の配列のキーも企図される。また、ゲームコントローラ、楽器等を模倣した構成等の他の非従来型の構成も企図される。こうして、入力装置１０４及びこの入力装置１０４により組み込まれたキーは、様々な異なる機能をサポートするために、種々の異なる構成を想定することができる。
【００１５】
先に説明したように、入力装置１０４は、この例では、可撓性ヒンジ１０６を使用することにより、コンピュータ装置１０２に物理的及び通信可能に結合される。可撓性ヒンジ１０６は、このヒンジによってサポートされる回転運動が、ピンによってサポートされる機械的回転とは対照的に、ヒンジを形成する材料の屈曲性（例えば、曲げ）によって実現されるという意味でフレキシブル性を有しているが、ピンによってサポートされる実施形態も企図される。また、このフレキシブルな回転は、１つ以上の方向（例えば、図中の上下方向）の運動をサポートするが、コンピュータ装置１０２に対する入力装置１０４の横方向の運動等の他の方向の運動を制限するようにさらに構成することができる。これは、電力状態、アプリケーション状態等を変更するために使用されるセンサを整列する等の、コンピュータ装置１０２に対して入力装置１０４の一貫性のある整列をサポートするために使用される。
【００１６】
可撓性ヒンジ１０６は、例えば、１つ以上の層からなる布を使用して形成され、入力装置１０４をコンピュータ装置１０２に及びその逆に通信可能に結合するような可撓性配線として形成された導体を含むことができる。この通信は、例えば、キー押下の結果をコンピュータ装置１０２に通信し、このコンピュータ装置から電力を受け取り、認証を実行し、補助電源をコンピュータ装置１０２に供給等するために使用することができる。可撓性ヒンジ１０６は、様々な方法で構成してもよく、更なる議論は、以下の図に関連して見出すことができる。
【００１７】
図２は、図１の入力装置１０４の実装例２００を示しており、可撓性ヒンジ１０６をより詳細に示す。この例では、入力装置１０４とコンピュータ装置１０２との間の通信及び物理的な接続を提供するように構成された、入力装置の接続部２０２が、示されている。示されるような接続部２０２は、コンピュータ装置１０２のハウジングのチャネル内に受容されるように構成された高さ及び断面を有するが、この構成は、本発明の精神及び範囲から逸脱することなく逆にすることもできる。
【００１８】
接続部２０２は、可撓性ヒンジ１０６を用いるキーを含む入力装置１０４の一部にフレキシブルに接続される。こうして、接続部２０２をコンピュータ装置に物理的に接続するときに、接続部２０２及び可撓性ヒンジ１０６の組合せは、本のヒンジと同様に、コンピュータ装置１０２に対する入力装置１０４の運動をサポートする。
【００１９】
接続部２０２は、この例では、磁気結合装置２０４，２０６、機械的結合突起２０８，２１０、及び通信用接点２１２を含むように示されている。磁気結合装置２０４，２０６は、１つ以上の磁石を用いて、コンピュータ装置１０２の相補的な磁気結合装置に磁気的に結合するように構成される。このように、磁力を用いて、入力装置１０４をコンピュータ装置１０２に物理的に固定してもよい。
【００２０】
接続部２０２は、入力装置１０４とコンピュータ装置１０２との間に機械物理的な接続を形成する機械的結合突起２０８，２１０も含む。通信用接点２１２が、示されるように装置同士の間に通信結合を形成するために、コンピュータ装置１０２の対応する通信用接点と接触するように構成される。
【００２１】
装置の姿勢の例
可撓性ヒンジ１０６の回転運動によって、コンピュータ装置１０２に対する入力装置１０４の様々な異なる姿勢をサポートすることができる。例えば、回転運動は、入力装置１０４がコンピュータ装置１０２の表示装置１１０に接して配置されるように、可撓性ヒンジ１０６によって支持することができ、それによって、図３の例示的な姿勢３００に示されるように、カバーとして機能する。こうして、入力装置１０４は、コンピュータ装置１０２の表示装置１１０を損傷から保護するように機能することができる。
【００２２】
図４の例示的な姿勢４００に示されるように、タイピング配置をサポートすることができる。この姿勢では、入力装置１０４は、表面に接して平らに置かれ、コンピュータ装置１０２は、例えばコンピュータ装置１０２の背面に配置されたスタンド４０２を用いて、表示装置１１０の視聴を可能にするように所定の角度で配置される。
【００２３】
図５の例示的な姿勢５００では、入力装置１０４は、コンピュータ装置１０２の裏面に接して、例えばコンピュータ装置１０２上の表示装置１１０とは反対側に配置された、コンピュータ装置１０２の背面ハウジングに接して配置されるように回転することができる。この例では、コンピュータ装置１０２に対する接続部２０２の姿勢（向き）によって、可撓性ヒンジ１０６は、接続部２０２に「巻き付け」られ、コンピュータ装置１０２の背面に入力装置１０４を位置付ける。
【００２４】
この巻付けによって、コンピュータ装置１０２の背面の一部を露出したままにする。これは、この例示的な姿勢５００において、コンピュータ装置１０２の背面のかなりの部分が入力装置１０４によって覆われている場合であっても、コンピュータ装置１０２の背面に位置付けされたカメラ５０２を使用することを可能にする等の様々な機能に利用することができる。コンピュータ装置１０２の片面を常に覆うような入力装置１０４の構成について上述したが、他の構成も企図される。
【００２５】
図６の例示的な姿勢６００では、入力装置１０４は、コンピュータ装置の背面を覆うように構成された部分６０２を含むように示される。この部分６０２は、可撓性ヒンジ６０４を使用して、接続部２０２にも接続される。
【００２６】
図６の例示的な姿勢６００は、入力装置１０４が表面に接して平らに置かれており、且つコンピュータ装置１０２が表示装置１１０の視聴を可能にするように所定の角度で配置されるようなタイピング配置を示す。これは、この例では部分６０２に接触するような、コンピュータ装置１０２の背面に配置されたスタンド４０２を用いて支持される。
【００２７】
図７は、部分６０２を含む入力装置１０４が、コンピュータ装置１０２の前面（例えば、表示装置１１０）と背面（例えば、表示装置のハウジングの反対側）との両方を覆うために使用される例示的な姿勢７００を示す。１つ以上の実装形態では、例えば閉じたときに補助電源を供給するために、電気的コネクタ及び他のコネクタをコンピュータ装置１０２及び／又は入力装置１０４の側面に沿って配置してもよい。
【００２８】
当然のことながら、様々な他の姿勢もサポートされる。例えば、コンピュータ装置１０２及び入力装置１０４は、これらコンピュータ装置１０２及び入力装置１０４の両方が、図１に示されるように表面に接して平らに置かれるような配置を想定することができる。三脚配置、ミーティング配置、プレゼンテーション配置等の他の例も企図される。
【００２９】
スタンド
説明するスタンドを使用して、コンピュータ装置１０２の様々な異なる姿勢を可能にする。例えば、様々な実施形態に従って、スタンドの以下の実装形態を検討する。
【００３０】
図８は、姿勢３００を示しており、閉位置にあるスタンド４０２を含む。閉位置では、スタンド４０２は、このスタンド４０２がコンピュータ装置１０２の表面輪郭に一致するようにコンピュータ装置１０２の背面８０２の一部を形成する。例えば、スタンド４０２が閉位置にあるとき、スタンド４０２は、コンピュータ装置１０２内に一体化され、背面８０２によって形成される平面から突出しない。
【００３１】
図９は、コンピュータ装置１０２の背面８０２から離れて位置９００にスタンド４０２を回転させることを示す。例えば、スタンド４０２は、ヒンジ機構を介して継ぎ目９０２に沿って、コンピュータ装置１０２に回転可能に取り付けることができる。このようなヒンジ機構の例について、以下で詳述する。
【００３２】
少なくともいくつかの実装形態では、位置９００は、スタンド４０２の予め設定された位置に対応する。例えば、ユーザが背面８０２から離れる方向にスタンド４０２に圧力を加えるときに、スタンド４０２を、位置９００内にスナップ式に嵌め込むことができる。以下に詳述するように、スタンド４０２をコンピュータ装置１０２に取り付けるために用いるヒンジ機構は、スタンド４０２の予め設定された開位置を提供するために、バネ圧及び戻り止め設定を利用することができる。この例では、位置９００は、コンピュータ装置１０２の背面とスタンド４０２との間の所定の角度９０４に関連する。例えば、角度９０４は、２０度（２０°）〜３０度（３０°）の範囲とすることができる。しかしながら、任意の適切な範囲の角度を用いてもよい。
【００３３】
位置９００でスタンド４０２を使用すると、コンピュータ装置１０２を、入力装置１０４から離れる方向に回転させ、且つ図４の姿勢４００に示されるように、スタンド４０２によってサポートすることができる。こうして、位置９００によって、表示装置１１０を視聴することができ、且つ入力装置１０４を介してコンピュータ装置１０２に入力を提供することが可能になる。
【００３４】
図１０は、スタンド４０２が、コンピュータ装置１０２の背面８０２から離れて位置１０００に回転することを示す。例えば、スタンド４０２を、位置９００を越えて位置１０００までさらに回転させることができる。
【００３５】
少なくともいくつかの実装形態では、位置１０００は、スタンド４０２の予め設定された位置に対応する。例えば、ユーザが背面８０２から離れる方向にスタンド４０２に圧力を加えるときに、スタンド４０２を、位置１０００にスナップ式に嵌め込むことができる。この例では、位置１０００は、コンピュータ装置１０２の背面とスタンド４０２との間の所定の角度１００２に関連する。例えば、角度１００２は、６５度（６５°）〜７５度（７５°）の範囲とすることができる。しかしながら、任意の適切な範囲の角度を用いてもよい。また、位置１０００までの回転中に、継ぎ目９０２（例えば、継ぎ目の幅）を維持することができる。
【００３６】
位置１０００でスタンド４０２を使用すると、コンピュータ装置１０２を、（例えば、縦長表示位置まで）横向きに回転させ、且つスタンド４０２を介して支持することができる。例えば、図１１に示される姿勢１１００について検討する。
【００３７】
図１１は、姿勢１１００でのコンピュータ装置１０２の背面図を示しており、コンピュータ装置１０２を、図１に示された姿勢に対して９０度（９０°）等、縦長表示位置まで回転することを示す。また、スタンド４０２は、コンピュータ装置１０２が、後ろにもたれ掛かり、且つスタンド４０２により表面１１０２上に支持されるように位置１０００に位置付けされる。ここでは図示していないが、コンピュータ装置１０２を姿勢１１００に配置することによって、表示装置１１０の表示姿勢を縦長表示に回転することができる。
【００３８】
図１１では、コンピュータ装置１０２は、入力装置１０４無しで示されている。こうして、少なくともいくつかの実施形態では、入力装置１０４は、コンピュータ装置１０２が入力装置１０４とは独立した機能を有するようにコンピュータ装置１０２から分離することができる。例えば、可撓性ヒンジ１０６は、磁力を介して入力装置１０４をコンピュータ装置１０２に保持するような磁気取付け機構を用いることができる。こうして、ユーザは、コンピュータ装置１０２及び入力装置１０４を把握することができ、且つそれらコンピュータ装置１０２と入力装置１０４との間の磁力に打ち勝つように引っ張って２つに分離することができる。
【００３９】
入力装置１０４から分離したときに、コンピュータ装置１０２は、様々な機能を提供することができる。例えば、ユーザは、コンピュータ装置１０２を介して、映画及び／又はストリーミングコンテンツ等のコンテンツを視聴することができる。また、ユーザは、表示装置１１０のタッチスクリーン機能と対話することができる。こうして、スタンド４０２を位置１０００に配置することによって、ユーザがコンピュータ装置を縦長姿勢で配置して、このような姿勢で、コンピュータ装置を視聴し及び／又はコンピュータ装置との対話を可能にする。
【００４０】
図１１にさらに示されるように、コンピュータ装置１０２は、背面８０２と前面１１０６との間に面取りエッジ部１１０４を含む。この面取りエッジ部１１０４は、背面８０２の幅が前面１１０６の幅よりも狭くなるように角度が付けられている。スタンド４０２は、背面８０２内に一体化され、且つ背面８０２と実質的に同じ幅を有している。こうして、スタンド４０２は、前面１１０６よりも狭い幅を有している。
【００４１】
従って、コンピュータ装置を姿勢１１００に位置付けし、且つスタンド４０２を位置１０００に配置したときに、コンピュータ装置１０２は、前面１１０６から離れる方向に後ろにもたれ掛かり、且つスタンド４０２のコーナー部１１０８に載置される。コーナー部１１０８は、表面１１０２上でのコーナー部１１０８の摺動を低減するいくつかの形態の緩衝材を用いて、表面１１０２とコンピュータ装置１０２との間の振動の伝達を低減することができる。
【００４２】
図１２は、１つ以上の実施形態に従った、スタンド４０２の内面１２００の図を示す。この例では、スタンド４０２は、コンピュータ装置１０２の輪郭との関連で示されている。
【００４３】
内面１２００は、スタンド４０２が開位置にあるときに、面接触点として機能するような面接点１２０２ａ及び１２０２ｂを含む。面接点１２０２ａ，１２０２ｂは、様々な種類の滑り抵抗材料を使用して形成することができ、且つ内面１２００の切欠き内に配置することができる。面接点１２０２ａ，１２０２ｂは、弾性材料から形成することができ、且つ実質的に蟻継ぎ形状にすることができ、それによって、これら面接点を、弾性圧力によって背面１２００の切欠き内に保持することができる。追加的に又は代替的に、面接点１２０２ａ，１２０２ｂを、適切な接着剤によって内面１２００に固定することができる。
【００４４】
面接点１２０２ａ，１２０２ｂは、スタンド４０２の底部エッジに位置付けされており、それによって、スタンド４０２が開かれ且つ表面に載置されるときに、面接点１２０２ａ，１２０２ｂは、スタンド４０２とこの表面との間の絶縁体として機能する。例えば、面接点１２０２ａ，１２０２ｂによって、スタンド４０２と隣接表面との間の振動の伝達を低減することができる。また、面接点１２０２ａ，１２０２ｂによって、表面でのスタンド４０２の滑りを減らすことができる。例えば、面接点１２０２ａ，１２０２ｂは、様々な異なる表面上での滑りに抵抗するようなゴム引き材料から形成することができる。こうして、コンピュータ装置１０２が、スタンド４０２により（例えば、上述した姿勢４００に）支持される場合に、面接点１２０２ａ，１２０２ｂは、コンピュータ装置１０２を安定化させるのに役立ち、且つスタンド４０２の振動によって表面に生じるノイズを低減することができる。
【００４５】
さらに、安定板１２０４ａ及び安定板１２０４ｂが、内面１２００に含められ、これら安定板は、内面１２００の下部エッジに沿って配置され、且つ磁場に引き寄せられる材料（例えば、強磁性材料）から形成される。スタンド４０２が閉位置にあるときに、安定板１２０４ａ，１２０４ｂは、コンピュータ装置１０２の隣接エッジに沿って配置された磁石に引き付けられる。こうして、閉位置において、磁石によって安定板１２０４ａ，１２０４ｂに及ぼされる磁力は、スタンド４０２の下部エッジをコンピュータ装置１０２に対して保持するのに役立つ。
【００４６】
内面１２００は、スタンド４０２をコンピュータ装置１０２に取り付けるために用いられる、ヒンジ機構の装着点として機能するような周辺ヒンジ装着部１２０６ａ，１２０６ｂをさらに含む。ヒンジ機構の例について、以下で説明する。スタンド４０２とコンピュータ装置１０２との間で用いられる中央ヒンジに対する摺動可能な取付け部として機能する中央ヒンジキー１２０８も含められる。
【００４７】
ダンパー１２１０ａ及びダンパー１２１０ｂが、（例えば、適切な接着剤を使用して）内面１２００に固定され、スタンド４０２の振動を抑制するように機能する。例えば、ダンパー１２１０ａ，１２１０ｂは、スタンド４０２の振動を吸収及び／又は消散する材料から形成することができる。このような材料の例は、発泡ウレタン、ゴム、ネオプレン、シリコーン等が挙げられる。こうして、ダンパー１２１０ａ，１２１０ｂは、スタンド４０２を開閉するときに、スタンド４０２の振動によって生じるノイズを低減することができる。
【００４８】
部品取付け用のヒンジ
種々の異なるヒンジ機構は、様々な実施形態に従って、様々な部品を取り付けるために用いることができる。いくつかの例示的なヒンジ機構及びヒンジ配置について、以下で説明する。
【００４９】
図１３は、コンピュータ装置１０２及びスタンド４０２の背面分解図１３００を示す。周辺ヒンジ１３０２ａ及び１３０２ｂが、背面図１３００に含められ、これら周辺ヒンジは、スタンド４０２をコンピュータ装置１０２に取り付けるために用いることができる。周辺ヒンジ１３０２ａ，１３０２ｂは、適切な取付け方法及び／又は装置を介してコンピュータ装置１０２の内部に設置されるように構成される。
【００５０】
スタンド４０２は、図１２を参照して上述した周辺ヒンジ装着部１２０６ａ，１２０６ｂを介して、周辺ヒンジ１３０２ａ，１３０２ｂの旋回部に取り付けることができる。こうして、周辺ヒンジ１３０２ａ，１３０２ｂへの取付けによって、スタンド４０２がコンピュータ装置１０２に関連する様々な位置の間で旋回するのが可能になる。
【００５１】
中央ヒンジ１３０４がさらに示され、この中央ヒンジは、適切な取付け方法及び／又は装置を介してコンピュータ装置１０２の内部に設置されるように構成される。スタンド４０２の中央ヒンジキー１２０８を、中央ヒンジ１３０４に係合することができる。
【００５２】
周辺ヒンジ１３０２ａ，１３０２ｂ及び中央ヒンジ１３０４が、コンピュータ装置１０２に設置され、それによって、スタンド４０２をこれらヒンジ上で閉位置に回転するときに、これらヒンジは、視認されなくなり、スタンド４０２は、コンピュータ装置１０２のシャーシと滑らかな輪郭を形成する。例えば、図８を参照して図示され且つ説明される閉位置を確認されたい。
【００５３】
また、面接点１２０２ａ，１２０２ｂが、背面図１３００に示されている。上述したように、面接点１２０２ａ，１２０２ｂは、スタンド４０２が開位置にあり且つ表面上に載置されるときに、スタンド４０２及びコンピュータ装置１０２を安定化させることができる。少なくともいくつかの実施形態では、面接点１２０２ａ，１２０２ｂは、スタンド４０２の内面の溝に位置付けされており、それによって、面接点１２０２ａ，１２０２ｂは、スタンド４０２が閉位置にあるときに、外部から視認することができない。
【００５４】
閉位置からスタンド４０２を開く際にユーザを支援するために、切欠き１３０６が、コンピュータ装置１０２のエッジに形成される。例えば、切欠き１３０６によって、ユーザが指の小さな部分を閉じた状態のスタンド４０２の背後に挿入することが可能になり、圧力を加えてスタンド４０２を開位置に回転させることができる。追加的又は代替的に、切欠きをスタンド４０２のエッジに形成して、スタンド４０２を開くのを補助することができる。
【００５５】
図１４は、１つ以上の実施形態に従った、例示的なヒンジ１４００の部品を示す。ヒンジ１４００は、例えば、上述した周辺ヒンジ１３０２ａ，１３０２ｂの実装形態を表すことができる。しかしながら、これは限定することを意図するものではなく、ヒンジ１４００は、様々な異なる部品及び取付けシナリオのヒンジ機構として使用することができる。また、ヒンジ１４００及びその様々な部品は、金属、プラスチック、ポリマー、合金等の任意の適切な材料を使用して形成することができる。
【００５６】
ヒンジ１４００の部品は、ヒンジ１４００の様々な他の構成要素を配置することができるようなヒンジフレーム１４０２を含む。例えば、ヒンジフレーム１４０２は、装置（例えば、コンピュータ装置１０２）に装着することができ、ヒンジ１４００の他の部品の支持構造体として機能する。
【００５７】
ヒンジフレーム１４０２内に回転可能及び／又は移動可能に位置付けされるヒンジリング１４０４をさらに含む。少なくともいくつかの実施形態では、スタンド（例えば、スタンド４０２）を、ヒンジリング１４０４に結合することができる。ヒンジフレーム１４０２内のヒンジリング１４０４の動きによって、取り付けたスタンドを、取り付けた装置に対して様々な位置に配置することが可能になる。
【００５８】
ヒンジリングフォロア(follower)１４０６及びヒンジリングバネ１４０８が、ヒンジリング１４０４に作動可能に関連付けられ、これらヒンジリングフォロア１４０６及びヒンジリングバネ１４０８は、ヒンジリング１４０４に圧力を加えるようにヒンジリング１４０４に対して位置付けることができる。以下で詳述するように、ヒンジリングバネ１４０８及びヒンジリングフォロア１４０６からの圧力によって、ヒンジリング１４０４（こうして、取り付けられたスタンド）が、取り付けた装置に対して予め設定された位置を維持することが可能になる。
【００５９】
ヒンジ１４００は、ヒンジフレーム１４０２内に移動可能に位置付けされるリング支持体１４１０をさらに含む。少なくともいくつかの実施形態では、リング支持体１４１０は、ヒンジリング１４０４のための構造的な支持を提供する。例えば、ヒンジリング１４０４を特定の位置に開くように旋回したときに、リング支持体１４１０は、ヒンジリング１４０４、従って取り付け部品、例えばスタンドを安定化することができる。リング支持体１４１０を介したヒンジリング１４０４の安定化について、以下でより詳細に説明する。
【００６０】
リング支持体フォロア１４１２及びリング支持体バネ１４１４が、リング支持体１４１０に作動可能に関連付けられ、これらリング支持体フォロア１４１２及びリング支持体バネ１４１４は、リング支持体１４１０に圧力を加えるようにリング支持体１４１０に対して位置付けることができる。以下で詳述するように、リング支持体バネ１４１４及びリング支持体フォロア１４１２からの圧力によって、リング支持体１４１０及びヒンジリング１４０４を、取り付けた装置に対して予め設定された位置に維持することが可能になる。
【００６１】
ヒンジ１４００は、ヒンジキャップ１４１６を含んでおり、このヒンジキャップ１４１６は、ヒンジ１４００の他の部品をヒンジフレーム１４０２内に固定するように、ヒンジフレーム１４０２に取り付けることができる。
【００６２】
図１５は、１つ以上の実装形態に従った、ヒンジリング１４０４の断面図を示す。ヒンジリング１４０４は、様々な部品を装着することができるヒンジリング装着部１５００を含む。例えば、スタンド４０２を、ヒンジリング装着部１５００に取り付けることができる。
【００６３】
様々な取付け技術を利用して、部品をヒンジリング装着部１５００に取り付けることができる。例えば、ヒンジリング装着部１５００は、ねじ、ボルト、又は他のねじ留め具を受容するようにねじ山を形成することができる。スタンド４０２を参照すると、例えば、ねじ留め具を使用して、周辺ヒンジ装着部１２０６ａ，１２０６ｂのうちの１つをヒンジリング装着部１５００に取り付けることができる。代替的又は追加的に、他の種類の取付け技術を使用してもよい。
【００６４】
例えば、少なくともいくつかの実施形態では、磁力を用いて、周辺ヒンジ装着部をヒンジリング装着部１５００に保持することができる。周辺ヒンジ装着部及びリング装着部１５００は、例えば、磁石、強磁性体等の磁性材料を含むことができる。こうして、このような実施形態では、周辺ヒンジリングがリング装着部１５００に整列するときに、磁力によって、周辺ヒンジ装着部をリング装着部１５００に着脱可能に結合することができる。
【００６５】
こうして、いくつかの実装形態において、磁石を用いて、スタンド４０２をヒンジアセンブリ（例えば、ヒンジ１４００）に取り付け、それによって、スタンド４０２を関連する装置から着脱することができる。これによって、スタンド４０２を、異なる色の、異なるグラフィックの、異なる材料の異なるスタンドと交換等することにより、装置（例えば、コンピュータ装置１０２）を、様々な方法でカスタマイズすることが可能になる。
【００６６】
ヒンジリング１４０４は、リング切欠き１５０２ａ，１５０２ｂ，１５０２ｃをさらに含む。少なくともいくつかの実装形態では、リング切欠き１５０２ａ，１５０２ｂ，１５０２ｃは、ヒンジリング１４０４の予め設定された位置に対応する。例えば、ヒンジリングをヒンジ１４００内で回転するときに、ヒンジリングバネ１４０８からの圧力によって、ヒンジリングフォロア１４０６を、リング切欠き１５０２ａ，１５０２ｂ，１５０２ｃのそれぞれの切欠きにキャッチさせることが可能になる。リング切欠き１５０２ａ，１５０２ｂ，１５０２ｃは、例えば、スタンド４０２の予め設定された位置に対応することができる。ヒンジリング１４０４が、３つのリング切欠きを含むように示されているが、実際の実装形態は、特許請求の範囲に記載された実施形態に従って、任意の適切な数のリング切欠きを含むことができることを認識すべきである。ヒンジリング１４０４の更なる例示的な特徴について、以下で提示する。
【００６７】
図１６は、１つ以上の実施形態に従った、リング支持体１４１０の断面図を示す。リング支持体１４１０は、支持体切欠き１６００ａ，１６００ｂ，１６００ｃをさらに含む。少なくともいくつかの実装形態では、支持体切欠き１６００ａ，１６００ｂ，１６００ｃは、リング支持体１４１０の予め設定された位置に対応する。例えば、リング支持体１４１０がヒンジ１４００内で回転するときに、リング支持体バネ１４１４からの圧力によって、リング支持体フォロア１４１２を支持体切欠き１６００ａ，１６００ｂ，１６００ｃのそれぞれの切欠きにキャッチさせることができる。支持体切欠き１６００ａ，１６００ｂ，１６００ｃは、例えば、スタンド４０２の予め設定された位置に対応することができる。
【００６８】
リング支持体１４１０が、３つの支持体切欠きを含むように示されているが、実際の実施形態は、特許請求の範囲に記載された実施形態に従って、任意の適切な数の支持体切欠きを含むことができることを理解すべきである。リング支持体１４１０の更なる例示的な特徴について、以下で提示する。
【００６９】
図１７は、コンピュータ装置１０２の部分断面図を一般的に１７００で示す。この図１７００は、スタンド４０２が閉位置にある、ヒンジ１４００の断面を含む。
【００７０】
示されるように、スタンド４０２を、ねじ１７０２を使用してヒンジリング装着部１５００に取り付けることができる。しかしながら、特許請求の範囲に記載された実施形態に従って多種多様な取付け技術を使用することができ、その例が上述されている。
【００７１】
ヒンジリングフォロア１４０６がヒンジリング１４０４のリング切欠き１５０２ｃ内に位置付けされることが、図１７００にさらに示されている。リング切欠き１５０２ｃに対するヒンジリングフォロア１４０６からの圧力によって、ヒンジ１４００、従ってスタンド４０２を閉位置に保持する。ユーザは、圧力をスタンド４０２に十分に加えて、ヒンジリングフォロア１４０６によってリング切欠き１５０２ｃに対して加えられる静止摩擦に打ち勝つことにより、スタンド４０２を開くことができる。
【００７２】
図１８は、図１７を参照して示されるような閉位置にあるヒンジ１４００の断面図１８００を示す。閲覧を容易にするために、ヒンジ１４００は、取り付けた装置及びスタンドとは別に示している。
【００７３】
ヒンジフレーム１４０２、ヒンジリング１４０４、及びリング支持体１４１０が、図１８００の一部として示されている。ヒンジリングバネ１４０８によって、圧力がヒンジリングフォロア１４０６に加えられ、次に圧力をリング切欠き１５０２ｃにおいてヒンジリング１４０４に加えられることがさらに示されている。上述したように、リング切欠き１５０２ｃの圧力によって、ヒンジ１４００を閉位置に保持し、こうして、取り付け部品（例えば、スタンド４０２）を閉じた位置に保持する。
【００７４】
図１９は、開位置にあるヒンジ１４００の断面図１９００を示す。例えば、図１９００は、コンピュータ装置１０２に対するスタンド４０２の開位置に対応する。閲覧を容易にするために、ヒンジ１４００は、スタンド４０２を取り付けた状態で示しているが、コンピュータ装置１０２とは別に示している。
【００７５】
また図１９００では、ヒンジリングフォロア１４０６が、ヒンジリング１４０４のリング切欠き１５０２ｃから係合が解除されており、リング切欠き１５０２ｂと係合する。例えば、ユーザは、コンピュータ装置１０２から離れる方向に圧力をスタンド４０２に加えて、スタンド４０２を第１の開位置に移行することができる。こうして、ヒンジリングフォロア１４０６とリング切欠き１５０２ｂとの係合は、ヒンジ１４００、従ってスタンド４０２の第１の開位置に対応することができる。ヒンジリングバネ１４０８によってヒンジリングフォロア１４０６に対して加えられた圧力によって、ヒンジリングフォロアをリング切欠き１５０２ｂに保持し、こうして、スタンド４０２を第１の開位置に保持する。
【００７６】
少なくともいくつかの実施形態では、第１の開位置は、スタンド４０２及びコンピュータ装置１０２に関連する所定の角度１９０２に対応することができる。例えば、角度１９０２は、４０°〜５０°、例えば４５°の角度に対応することができる。
【００７７】
図２０は、図１９を参照して上述したような第１の開位置にあるヒンジ１４００の断面図２０００を示す。閲覧を容易にするために、ヒンジ１４００は、関連する装置及びスタンドとは別に図２０００に示している。
【００７８】
図２０００は、第１の開位置において、ヒンジリング１４０４を開位置に回転することを示す。しかしながら、リング支持体１４１０は、ヒンジフレーム１４０２内の閉位置に留まる。例えば、ヒンジ１４００の第１の開位置において、リング支持体フォロア１４１２は、リング支持体１４１０の支持体切欠き１６００ｃに係合したままである。
【００７９】
図２１は、図１９及び図２０を参照して上述したような第１の開位置にあるヒンジ１４００の上面図２１００を示す。閲覧を容易にするために、ヒンジ１４００は、関連する装置及びスタンドとは別に図２１００に示している。さらに、ヒンジフレーム１４０２を、点線によって示している。
【００８０】
図２１００は、ヒンジ１４００の第１の開位置において、ヒンジリングフォロア１４０６が、ヒンジリング１４０４のリング切欠き１５０２ｂに係合することを示す。さらに、リング支持体フォロア１４１２が、リング支持体１４１０の支持体切欠き１６００ｃに係合することが示される。
【００８１】
図２２は、第２の開位置にあるヒンジ１４００の断面図２２００を示す。例えば、図２２００は、コンピュータ装置１０２に対するスタンド４０２の第２の開位置に対応する。閲覧を容易にするために、ヒンジ１４００は、スタンド４０２を取り付けた状態で示しているが、コンピュータ装置１０２とは別に示している。
【００８２】
また図２２００では、ヒンジリングフォロア１４０６は、ヒンジリング１４０４のリング切欠き１５０２ｂから係合が解除されており、リング切欠き１５０２ａと係合する。例えば、ユーザは、スタンド４０２に圧力を加えて、スタンド４０２を第２の開位置に移行することができる。こうして、ヒンジリングフォロア１４０６とリング切欠き１５０２ａとの係合は、ヒンジ１４００、従ってスタンド４０２の第２の開位置に対応することができる。ヒンジリングバネ１４０８によってヒンジリングフォロア１４０６に対して加えられた圧力によって、ヒンジリングフォロア１４０６をリング切欠き１５０２ａに保持して、こうして、スタンド４０２を第２の開位置に保持する。
【００８３】
少なくともいくつかの実施形態では、第２の開位置は、スタンド４０２及びコンピュータ装置１０２に関連する所定の角度２２０２に対応することができる。例えば、角度２２０２は、８５°〜９５°、例えば９０°の角度に対応することができる。
【００８４】
図２３は、図２２を参照して上述したような第２の開位置にあるヒンジ１４００の断面図２３００を示す。閲覧を容易にするために、ヒンジ１４００は、関連する装置及びスタンドとは別に図２３００に示している。
【００８５】
図２３００は、第２の開位置において、上述したように、ヒンジリング１４０４を第２の開位置に回転することを示す。第１の開位置と同様に、リング支持体１４１０は、ヒンジフレーム１４０２内の閉位置に留まる。例えば、ヒンジ１４００の第２の開位置において、リング支持体フォロア１４１２は、リング支持体１４１０の支持体切欠き１６００ｃに係合したままである。
【００８６】
図２４は、図２２及び図２３を参照して上述したような第２の開位置にあるヒンジ１４００の上面図２４００を示す。閲覧を容易にするために、ヒンジ１４００は、関連する装置及びスタンドとは別に図２４００に示している。さらに、ヒンジフレーム１４０２を、点線によって示している。
【００８７】
図２４００は、ヒンジ１４００の第２の開位置において、ヒンジリングフォロア１４０６が、ヒンジリング１４０４のリング切欠き１５０２ａに係合することを示す。リング支持体フォロア１４１２が、リング支持体１４１０の支持体切欠き１６００ｃに係合することがさらに示される。こうして、第２の開位置において、リング支持体１４１０は、ヒンジフレーム１４０２内の閉位置に留まる。
【００８８】
図２５は、第３の開位置にあるヒンジ１４００の断面図２５００を示す。例えば、図２５００は、コンピュータ装置１０２に対するスタンド４０２の第３の開位置に対応する。閲覧を容易にするために、ヒンジ１４００は、スタンド４０２を取り付けた状態で示しているが、コンピュータ装置１０２とは別に示している。また図２５００では、ヒンジリングフォロア１４０６は、ヒンジリング１４０４のリング切欠き１５０２ａから係合が解除されており、スタンド４０２を第３の開位置に位置付けすることを可能にする。
【００８９】
少なくともいくつかの実施形態では、第３の開位置は、スタンド４０２及びコンピュータ装置１０２に関連する所定の角度２５０２に対応することができる。例えば、角度２５０２は、１３０°〜１４０°、例えば１３５°の角度に対応することができる。
【００９０】
図２６は、図２５を参照して上述したような第３の開位置にあるヒンジ１４００の断面図２６００を示す。閲覧を容易にするために、ヒンジ１４００は、関連する装置及びスタンドとは別に図２６００に示している。
【００９１】
図２６００は、第３の開位置において、上述したように、ヒンジリング１４０４を回転することを示す。また第３の開位置では、リング支持体１４１０が、ヒンジフレーム１４０２内で回転され、それによって、リング支持体フォロア１４１２が、支持体切欠き１６００ｃから係合が解除されており、支持体切欠き１６００ｂと係合する。例えば、ヒンジリング１４０４が第２の開位置から第３の開位置に回転すると、ヒンジリング１４０４のキャッチ機構が、リング支持体１４１０に係合し、リング支持体１４１０を、ヒンジフレーム１４０２内で第３の開位置に回転することができる。例示的なキャッチ機構について、図３１及び図３２を参照して以下で説明する。
【００９２】
図２７は、図２５及び図２６を参照して上述したような第３の開位置にあるヒンジ１４００の上面図２７００を示す。閲覧を容易にするために、ヒンジ１４００は、関連する装置及びスタンドとは別に図２７００に示している。さらに、ヒンジフレーム１４０２を、点線によって示している。
【００９３】
図２７００は、第３の開位置への移行において、ヒンジリング１４０４が、リング支持体１４１０をキャッチし、リング支持体１４１０をヒンジフレーム１４０２内で開位置に回転することを示す。その結果、リング支持体フォロア１４１２は、支持体切欠き１６００ｃから係合が解除されており、支持体切欠き１６００ｂと係合する。第３の開位置では、リング支持体１４１０は、ヒンジリング１４０４の安定化構造として機能する。こうして、取り付け部品（例えば、スタンド４０２）を第３の開位置で安定化することができる。
【００９４】
図２８は、第４の開位置にあるヒンジ１４００の断面図２８００を示す。例えば、図２８００は、コンピュータ装置１０２に対するスタンド４０２の第４の開位置に対応する。閲覧を容易にするために、ヒンジ１４００は、スタンド４０２を取り付けた状態で示しているが、コンピュータ装置１０２とは別に図２８００に示している。また図２８００では、ヒンジリング１４０４を回転して、スタンド４０２を第４の開位置に位置付けすることを可能にする。更に後述するように、第４の開位置に対するヒンジリング１４０４の回転によって、リング支持体１４１０をヒンジフレーム１４０２内でヒンジ１４００の第４の開位置に回転させる。
【００９５】
少なくともいくつかの実施形態では、第４の開位置は、スタンド４０２及びコンピュータ装置１０２に関連する所定の角度２８０２に対応することができる。例えば、角度２８０２は、１８０°とすることができる。第４の開位置において、例えば、スタンド４０２を、コンピュータ装置１０２の背面に接して位置付けることができる。
【００９６】
図２９は、図２８を参照して上述したような第４の開位置にあるヒンジ１４００の断面図２９００を示す。閲覧を容易にするために、ヒンジ１４００は、関連する装置及びスタンドとは別に図２９００に示している。
【００９７】
図２９００は、第４の開位置において、ヒンジリング１４０４を、上述したように第４の開位置に回転することを示す。またリング支持体１４１０をヒンジフレーム１４０２内で第４の開位置に回転させ、それによって、リング支持体フォロア１４１２が、支持体切欠き１６００ｂから係合が解除されており、支持体切欠き１６００ａと係合する。例えば、ヒンジリング１４０４が第３の開位置から第４の開位置に回転するときに、リング支持体１４１０に係合するようなヒンジリング１４０４上のキャッチ機構によって、リング支持体１４１０をヒンジフレーム１４０２内で第４の開位置に回転させる。例示的なキャッチ機構について、図３１及び図３２を参照して以下で説明する。
【００９８】
図３０は、図２８及び図２９を参照して上述したような第４の開位置にあるヒンジ１４００の上面図３０００を示す。閲覧を容易にするために、ヒンジ１４００は、関連する装置及びスタンドとは別に図３０００に示している。さらに、ヒンジフレーム１４０２を、点線によって示している。
【００９９】
図３０００は、第４の開位置への移行において、ヒンジリング１４０４上のキャッチ機構が、リング支持体１４１０を引っ張り、リング支持体１４１０をヒンジフレーム１４０２内で第４の開位置に回転させることを示す。その結果、リング支持体フォロア１４１２は、支持体切欠き１６００ｂから係合が解除されており、支持体切欠き１６００ａと係合する。第４の開位置では、リング支持体１４１０は、ヒンジリング１４０４の安定化構造として機能する。こうして、取り付け部品（例えば、スタンド４０２）を第４の開位置で安定化させることができる。
【０１００】
図３１は、ヒンジリング１４０４及びリング支持体１４１０の背面図３１００を示す。閲覧を容易にするために、ヒンジリング１４０４及びリング支持体１４１０は、ヒンジ１４００の他の部品とは別に示している。少なくともいくつかの実施形態では、図３１００は、ヒンジ１４００が上述した第１の開位置又は第２の開位置のいずれかにある場合の、ヒンジリング１４０４及びリング支持体１４１０の位置を表す。上述したように、ヒンジ１４００が、閉位置、第１の開位置、又は第２の開位置にあるときに、図３１００に示されるように、リング支持体フォロア１４１２は、支持体切欠き１６００ｃに係合する。
【０１０１】
図３１００において、ヒンジリング１４０４は、支持体キャッチ３１０２を含み、この支持体キャッチは、ヒンジリング１４０４を特定の位置に回転させるときに、リング支持体１４１０と係合するためのキャッチ機構として機能する。支持体キャッチ３１０２は、リング支持体の支持体スロット３１０４内に摺動可能に配置される。特定の位置において、ヒンジリング１４０４は、例えば閉位置とヒンジ１４００の第２の開位置との間で、リング支持体１４１０の動きを生じさせることなく、支持体スロット３１０４内で摺動することができる。
【０１０２】
図３２は、ヒンジリング１４０４及びリング支持体１４１０の背面図３２００を示す。閲覧を容易にするために、ヒンジリング１４０４及びリング支持体１４１０は、ヒンジ１４００の他の部品とは別に示している。少なくともいくつかの実装形態では、図３２００は、ヒンジ１４００が、開位置、例えば上述した第３の開位置又は第４の開位置のいずれかにある場合の、ヒンジリング１４０４及びリング支持体１４１０の位置を表す。
【０１０３】
図３２００において、ヒンジリング１４０４は、支持体キャッチ３１０２が支持体スロット３１０４内のスロット停止部３２０２に係合するように、支持体スロット３１０４内で摺動する。示されるように、スロット停止部３２０２は、支持体キャッチ３１０２よりも狭く、こうして、支持体キャッチ３１０２は、ヒンジ１４００の特定の開位置においてスロット停止部３２０２と係合する。支持体キャッチ３１０２がスロット停止部３２０２と係合するような方向に、ヒンジリング１４０４をヒンジ１４００内で回転するときに、その方向の更なる動きによって、リング支持体１４１０がヒンジ１４００内で回転する。例えば、ユーザがヒンジリング１４０４に装着されたスタンドをスロット停止部３２０２で係合した支持体キャッチ３１０２と再位置付けした場合に、ヒンジリング１４０４の得られた回転によって、リング支持体１４１０が回転する。
【０１０４】
この特定の例では、図３２００は、リング支持体フォロア１４１２とリング支持体１４１０の支持体切欠き１６００ａとが係合して示されるような、ヒンジ１４００の第４の開位置を表す。こうして、支持体キャッチ３１０２によってスロット停止部３２０２に対して加えられた力によって、リング支持体１４１０が様々な位置の間で回転する。
【０１０５】
少なくともいくつかの実装形態では、リング支持体１４１０は、下部キャッチ機構も含み、それによって、ヒンジリング１４０４が（例えば、第４の開位置から）閉位置に向けて回転するときに、支持体キャッチ３１０２は、リング支持体１４１０がヒンジ１４００内の閉位置に向けて対応して回転するように、その下部キャッチ機構と係合する。例えば、は、以下の実施形態を検討する。
【０１０６】
図３３は、リング支持体１４１０及びヒンジリング１４０４の一部の背面図３３００を示す。リング支持体１４１０の一部として取付けられる及び／又は形成されるリターンキャッチ３３０２が、さらに示される。リターンキャッチ３３０２は、支持体スロット３１０４内で内方に突起する。リターンキャッチ３３０２は、ゴム及び／又はその他の弾性変形可能な材料等の種々の材料から形成することができる。少なくともいくつかの実装形態では、リターンキャッチ３３０２は、リング支持体１４１０の一部として形成することができ、こうして、リング支持体１４１０と同じ材料から形成することができる。
【０１０７】
少なくともいくつかの実施形態では、ヒンジリング１４０４が、開位置に向けて（例えば、上述した第４の開位置に向けて）回転するときに、支持体キャッチ３１０２は、リターンキャッチ３３０２に係合する。例えば、リターンキャッチ３３０２に対する支持体キャッチ３１０２からの圧力によって、リターンキャッチ３３０２をわずかなに変形させ、それによって、支持体キャッチ３１０２が、リターンキャッチ３３０２を越えて摺動し、スロット停止部３２０２と係合することができる。例えば、以下の図を検討する。
【０１０８】
図３４は、リング支持体１４１０及びヒンジリング１４０４の一部の背面図３４００を示す。図３４００では、ヒンジリング１４０４は、支持体スロット３１０４内でリターンキャッチ３３０２を超えて回転し、それによって、支持体キャッチ３１０２が、スロット停止部３２０２と係合する。上で言及したように、リターンキャッチ３３０２は、弾性材料から形成することができる。こうして、支持体キャッチ３１０２からの圧力によって、リターンキャッチ３３０２の弾性変形を生じさせ、それによって、支持体キャッチ３１０２が、リターンキャッチ３３０２を超えて回転することができる。図３４００は、例えば、上述した第４の開位置にあるリング支持体１４１０及びヒンジリング１４０２の姿勢を表することができる。
【０１０９】
図３４００に示されるように、リターンキャッチ３３０２は、リング支持体１４１０上に位置付けされ、それによって、支持体キャッチ３１０２がスロット停止部３２０２と係合すると、リターンキャッチ３３０２の後部エッジによって、圧力が支持体キャッチ３１０２に加えられる。従って、ヒンジリング１４０２が閉位置に向けて逆方向に回転すると、リターンキャッチ３３０２に対する支持体キャッチ３１０２からの圧力によって、リング支持体１４１０がヒンジ１４００内で閉位置に向けて回転する。少なくともいくつかの実施形態では、これによって、リング支持体１４１０が完全な開位置（例えば、第４の開位置）から復帰することが可能になり、それによって、リング支持体１４１０が、ヒンジ１４００の様々な位置で（上述した）リング支持体フォロア１４１２と係合することができる。
【０１１０】
こうして、本明細書で説明する実施形態は、取り付け部品（例えば、スタンド）を複数の予め設定された位置の間で調節可能にする安定したヒンジ機構を提供する。上述した例示的な装置の姿勢、スタンド位置、ヒンジ位置、ヒンジ停止部の位置等は、例を示す目的のためのみに提示されることを理解すべきである。こうして、本明細書で具体的に言及していない多種多様な別の装置の姿勢、スタンド位置、ヒンジ位置、ヒンジ停止部の位置等は、特許請求の範囲に記載された実施形態の精神及び範囲内で実現することができる。例えば、取付け機構を使用してスタンドをコンピュータ装置（例えば、上述した周辺ヒンジ）に取り付けることは、スタンドを様々な異なる位置に開いて、コンピュータ装置の様々な姿勢をサポートするのを可能にするような任意の数及び／又は構成の適切な停止位置を含むことができる。さらに、特許請求の範囲に記載される実施形態に従って、例示的なヒンジを、スタンド及び／又はコンピュータ装置の任意の適切な位置及び／又は一部に取り付けることができる。
【０１１１】
システム及び装置の例
図３５は、本明細書に説明した様々な技術を実装する１つ以上のコンピュータシステム及び／又は装置を表す例示的なコンピュータ装置３５０２を含むような例示的なシステムを３５００で示す。コンピュータ装置３５０２は、例えば、ユーザの１つ以上の手で把持して持ち運ぶように形成され且つサイズ決めされたハウジングを用いるモバイル構成を想定するように構成することができ、図示の例では、携帯電話、モバイルゲーム及び音楽装置、並びにタブレットコンピュータを含むが、他の実施例も企図される。
【０１１２】
示されるようなコンピュータ装置３５０２は、処理システム３５０４、１つ以上のコンピュータ可読媒体３５０６、及び互いに通信可能に結合される１つ以上のＩ／Ｏインターフェイス３５０８を含む。図示していないが、コンピュータ装置３５０２は、システムバス、又は互いに様々なコンポーネントを結合するような他のデータ及びコマンド転送システムをさらに含むことができる。システムバスは、メモリバス又はメモリコントローラ、周辺バス、ユニバーサルシリアルバス、及び／又は様々なバスアーキテクチャのいずれかを利用するプロセッサ又はローカルバス等の異なるバス構造のいずれか又は組合せを含むことができる。制御及びデータ線等の様々な他の例も企図される。
【０１１３】
処理システム３５０４は、ハードウェアを使用して１つ以上の動作を実行するための機能を表す。従って、処理システム３５０４は、プロセッサや機能ブロック等として構成されるハードウェア要素３５１０を含むように示される。これは、特定用途向け集積回路又は１つ以上の半導体を用いて形成された他の論理デバイスのようなハードウェアでの実装を含むことができる。ハードウェア要素３５１０は、それらハードウェア要素が形成される材料によって、又はそれらハードウェア要素で用いられるプロセス機構によって限定されるものではない。例えば、プロセッサは、半導体（複数可）及び／又はトランジスタ（例えば、電子集積回路（IC））から構成することができる。このような文脈において、プロセッサが実行可能命令は、電子的に実行可能な命令であってもよい。
【０１１４】
コンピュータ可読記憶媒体３５０６は、メモリ／記憶装置３５１２を含むように示されている。メモリ／記憶装置３５１２は、１つ以上のコンピュータ可読媒体に関連するメモリ／記憶容量を表す。メモリ／記憶部品３５１２は、（例えば、ランダムアクセスメモリ（RAM）等の）揮発性媒体、及び／又は（読み取り専用メモリ（ROM）、フラッシュメモリ、光ディスク、磁気ディスク等の）不揮発性媒体を含むことができる。メモリ／記憶部品３５１２は、（例えば、ＲＡＭ、ＲＯＭ、固定ハードドライブ等の）固定媒体だけでなく、（例えば、フラッシュメモリ、リムーバブルハードドライブ、光ディスク等の）リムーバブルメディアを含むことができる。コンピュータ可読媒体３５０６は、以下でさらに説明するような他の様々な方法で構成することができる。
【０１１５】
入力／出力インターフェイス（複数可）３５０８は、ユーザがコマンド及び情報をコンピュータ装置３５０２に入力できるようにする機能を表すものであり、様々な入力／出力装置を使用して、情報をユーザ及び／又は他の部品又は装置に提示することを可能にする。入力装置の例には、キーボード、カーソル制御装置（例えば、マウス）、マイクロフォン、スキャナ、タッチ機能（例えば、物理的接触を検出するように構成された容量センサ又は他のセンサ）、（タッチを含まないジェスチャー等の動きを認識するために、可視波長又は赤外線周波数等の非可視波長を用いる）カメラ等が挙げられる。出力装置の例には、表示装置（例えば、モニター又はプロジェクター）、スピーカー、プリンター、ネットワークカード、触覚応答装置等が挙げられる。こうして、コンピュータ装置３５０２は、ユーザとの対話をサポートするための様々な方法で構成することができる。
【０１１６】
コンピュータ装置３５０２は、コンピュータ装置３５０２から物理的及び通信可能に取り外し可能である入力装置３５１４に通信可能に及び物理的に結合されるようにさらに示されている。このように、多種多様な機能をサポートするために、様々な異なる入力装置を、多種多様な構成を有するコンピュータ装置３５０２に結合することができる。この例では、入力装置３５１４は、感圧キー、機械式スイッチキーと等して構成される１つ以上のキー３５１６を含む。
【０１１７】
入力装置３５１４は、様々な機能をサポートするように構成される１つ以上のモジュール３５１８を含むようにさらに示される。例えば、１つ以上のモジュール３５１８は、キー３５１６から受信したアナログ及び／又はデジタル信号を処理して、キーストロークが意図されているかどうか、入力がコンピュータ装置３５０２との動作のための入力装置３５１４のサポート認証等の静止圧を示しているかどうかを決定するように構成され得る。
【０１１８】
様々な技術について、ソフトウェア、ハードウェア要素、又はプログラムモジュールの一般的な文脈で本明細書で説明する。一般に、このようなモジュールは、特定のタスクを実行する又は特定の抽象データタイプを実装するような、ルーチン、プログラム、オブジェクト、要素、コンポーネント、データ構造等を含む。本明細書で使用される場合に、用語「モジュール」、「機能」、及び「コンポーネント」は、一般的にソフトウェア、ファームウェア、ハードウェア、又はこれらの組合せを表す。本明細書で説明する技術の特徴は、プラットフォームに依存しておらず、その技術は、様々なプロセッサを有する市販の様々なコンピュータ・プラットフォーム上に実装することができることを意味する。
【０１１９】
説明したモジュール及び技術の実装形態は、何らかの形のコンピュータ可読媒体上に格納されるか、又はコンピュータ可読媒体を介して送信することができる。コンピュータ可読媒体は、コンピュータ装置３５０２によってアクセスされる様々な媒体を含んでもよい。一例として制限するものではないが、コンピュータ可読媒体は、「コンピュータ可読記憶媒体」及び「コンピュータ可読信号媒体」を含んでもよい。
【０１２０】
「コンピュータ可読記憶媒体」は、単なる信号送信、搬送波、又は信号それ自体とは対照的に、情報の永続的な記憶を可能にする媒体及び／又は装置を指すことができる。こうして、コンピュータ可読記憶媒体は、非信号搬送(bearing)媒体を指す。コンピュータ可読記憶媒体は、コンピュータ可読命令、データ構造、プログラムモジュール、論理要素／回路、又は他のデータ等の情報を記憶するために適切な方法又は技術で実装される、揮発性及び不揮発性の、リムーバブル及び非リムーバブル媒体及び／又は記憶装置等のハードウェアを含む。コンピュータ可読記憶媒体の例としては、ＲＡＭ、ＲＯＭ、ＥＥＰＲＯＭ、フラッシュメモリ又は他のメモリ技術、ＣＤ−ＲＯＭ、デジタル多用途ディスク（DVD）又は他の光記憶装置、ハードディスク、磁気カセット、磁気テープ、磁気ディスク記憶装置又は他の磁気記憶装置、或いは他の記憶装置、有形媒体、又は所望の情報を記憶するのに適し且つコンピュータによってアクセスできる製造物品が挙げられるが、これらに限定されるものではない。
【０１２１】
「コンピュータ可読媒体信号」は、ネットワーク等を介して命令をコンピュータ装置３５０２のハードウェアに送信するように構成された信号搬送媒体を指す。信号媒体は、一般的に、搬送波、データ信号、又は他の移送機構等の変調されたデータ信号内に、コンピュータ可読命令、データ構造、プログラムモジュール、又は他のデータを具現化することができる。信号媒体は、任意の情報配信媒体を含む。用語「変調データ信号」は、情報を信号にエンコードするような方法で設定又は変更された１つ又は複数の特性を有する信号を意味する。一例として、限定するものではないが、通信媒体は、有線ネットワーク又は直接有線接続等の有線媒体、及び音響、ＲＦ、赤外線、及びその他の無線媒体等の無線媒体を含む。
【０１２２】
前述のように、ハードウェア要素３５１０及びコンピュータ可読媒体３５０６は、いくつかの実施形態において、１つ以上の命令を実行する等の本明細書で説明した技術の少なくともいくつかの態様を実施するために用いられるモジュール、プログラム可能な装置のロジック及び／又はハードウェアの形で実装される固定装置のロジックを表す。ハードウェアは、集積回路又はオンチップ・システムのコンポーネント、特定用途向け集積回路（ASIC）、フィールドプログラマブルゲートアレイ（FPGA）、結合プログラマブル論理回路（CPLD）、及びシリコン又は他のハードウェアの他の実装形態を含むことができる。この文脈では、ハードウェアは、ハードウェアによって具現化される命令及び／又はロジックによって規定されたプログラムタスクを実行するような処理装置だけでなく、例えば、前述したコンピュータ可読記憶媒体を実行するための命令を記憶するために利用されるハードウェアとして動作することができる。
【０１２３】
上述した組合せは、本明細書で説明した様々な技術を実施するために用いることもできる。従って、ソフトウェア、ハードウェア、又は実行可能モジュールは、何らかの形のコンピュータ可読記憶媒体上で及び／又は１つ以上のハードウェア要素３５１０によって具現化された１つ以上の命令及び／又はロジックとして実装することができる。コンピュータ装置３５０２を、ソフトウェア及び／又はハードウェアモジュールに対応する特定の命令及び／又は機能を実現するように構成することができる。従って、コンピュータ装置３５０２によってソフトウェアとして実行されるモジュールの実装形態は、例えばコンピュータ可読記憶媒体及び／又は処理システム３５０４のハードウェア要素３５１０を用いて、ハードウェア内で少なくとも部分的に達成される。命令及び／又は機能は、本明細書で説明した技術、モジュール、及び実施例を実現するために、１つ以上の製造物品（例えば、１つ以上のコンピュータ装置３５０２及び／又は処理システム３５０４）によって動作可能／実行可能にすることができる。
【０１２４】
結論
実装例について、構造的特徴及び／又は方法論的動作に特有の専門用語で説明してきたが、添付の特許請求の範囲に規定される実装形態は、必ずしも説明した特定の特徴又は動作に限定されるものではないことを理解すべきである。むしろ、特定の特徴及び動作は、特許請求の範囲に記載された特徴を実施する例示的な形態として開示されている。
【図１】
0006339660.tif 000002
【図２】
0006339660.tif 000003
【図３】
0006339660.tif 000004
【図４】
0006339660.tif 000005
【図５】
0006339660.tif 000006
【図６】
0006339660.tif 000007
【図７】
0006339660.tif 000008
【図８】
0006339660.tif 000009
【図９】
0006339660.tif 000010
【図１０】
0006339660.tif 000011
【図１１】
0006339660.tif 000012
【図１２】
0006339660.tif 000013
【図１３】
0006339660.tif 000014
【図１４】
0006339660.tif 000015
【図１５】
0006339660.tif 000016
【図１６】
0006339660.tif 000017
【図１７】
0006339660.tif 000018
【図１８】
0006339660.tif 000019
【図１９】
0006339660.tif 000020
【図２０】
0006339660.tif 000021
【図２１】
0006339660.tif 000022
【図２２】
0006339660.tif 000023
【図２３】
0006339660.tif 000024
【図２４】
0006339660.tif 000025
【図２５】
0006339660.tif 000026
【図２６】
0006339660.tif 000027
【図２７】
0006339660.tif 000028
【図２８】
0006339660.tif 000029
【図２９】
0006339660.tif 000030
【図３０】
0006339660.tif 000031
【図３１】
0006339660.tif 000032
【図３２】
0006339660.tif 000033
【図３３】
0006339660.tif 000034
【図３４】
0006339660.tif 000035
【図３５】
0006339660.tif 000036